(57)【要約】【課題】連続鋳造設備工事において現設備での操業稼働率を低下させることなく、短期間で新設備への更新工事を完了させることを目的とする。【解決手段】連続鋳造設備の設備更新工事おいて、独立した演算処理を行うＣＰＵを有する２つのＣＰＵ部１２，１８と外部からの信号の授受を行う入出力処理部及びその信号を各ＣＰＵ部へ接続する、２パターンの選択切替え機能を有した入出力設定部１６，１７から構成される主幹制御装置１３を使用し、各ＣＰＵ部で現設備用及び新設備用のプログラムを演算させ、入出力設定部の現設備用と新設備用の２パターンを切替えることにより設備更新を行うようにしたものである。【選択図】  図１
2004174501.tif 000002
【特許請求の範囲】
【請求項１】
連続鋳造設備の設備更新工事における連続鋳造設備の主幹制御装置において、
独立した演算処理を行う現設備用と新設備用の２つのＣＰＵ部と、
外部からの信号の授受を行う入出力処理部と、
前記信号を各ＣＰＵ部へ接続する、２パターンの選択切り替え機能を持った入出力設定部を備えたことを特徴とする連続鋳造設備の主幹制御装置。
【請求項２】
連続鋳造設備の主幹制御装置において、
独立した演算処理を行う現設備用と新設備用の２つのＣＰＵ部と、
鋳片を送るピンチロール用モータをコントロールするインバータ装置及びオペレータが作業をする独立した現設備用と新設備用の２つの操作盤との信号授受を行う入出力処理部と、
その信号を各ＣＰＵ部に接続する２パターンの選択切り替え機能を持った独立した現設備用と新設備用の２つの入出力設定部と、
オペレータが画面操作を行う独立した現設備用と新設備用の２つヒューマン・マシン・インターフェース（ＨＭＩ）との信号授受を行う通信部と、
前記通信部とＣＰＵ部を接続する相手先ＣＰＵ選択部とを有し、各ＣＰＵ部で現設備用及び新設備用のプログラムをそれぞれ演算させ、入出力設定部の現設備用と新設備用の２パターンを切替えることにより現設備稼動中にも新設備更新工事をすることができることを特徴とする連続鋳造設備の主幹制御装置。
【発明の詳細な説明】
【０００１】
【産業上の利用分野】
本発明は、連続鋳造設備の主幹制御装置に関する。
【０００２】
【従来の技術】
鋼の連続鋳造設備において鋳片の引き抜き速度等は主幹制御装置により制御されている（特許文献１参照）。
【０００３】
図２は、従来の連続鋳造設備および主幹制御装置の構成例を示すものである。図２において、１は溶鋼を運ぶレードル、２は溶鋼を一時的に蓄えるタンディッシュ、３は溶鋼の流し込み口であるモールド、４は連続鋳造設備によって形成される鋳片、５はピンチロール、６はピンチロール用モータ、７はモータ６の速度検出器、８はモータ６の速度を制御するインバータ装置である。また、１３は主幹制御装置で、制御演算処理を行うＣＰＵ部１２と、インバータ装置８及びオペレータが作業をする操作盤１５との信号授受を行う入出力処理部９と、その信号をＣＰＵ部１２へ接続する入出力設定部１０と、オペレータが画面操作を行うＨＭＩとの信号授受を行う通信部１１とからなる。
【０００４】
主幹制御装置１３の外部からの入力信号は、入出力処理部９に取り込まれ、入出力設定部１０で選択された入力信号のみＣＰＵ部１２へ取り込まれ、演算処理が行われる。演算結果は、入出力設定部１０で選択された出力信号のみ入出力処理部９より主幹制御装置１３の外部へ信号が出力される。
【０００５】
【特許文献１】
特開平１１−１５１５５８号公報
【０００６】
【発明が解決しようとする課題】
従来の連続鋳造設備工事では、高度経済成長に伴い新規設備が多数を占め、工事期間も長く取ることができた。しかし、最近では、経済低成長に伴い設備更新工事が増えてきていて、現在操業している設備ということもあり、操業の合間を縫った短期間での工事立ち上げが要求される。しかし、従来の主幹制御装置では、ＣＰＵ部が１つであること、入出力設定部が１パターンの選択しかできないことから、ある一定期間を使ってＣＰＵ演算部の中のプログラム及び入出力設定を現設備用から新設備用に全て切替えて工事を行う必要があり、操業稼働率の低下をまねいていた。
【０００７】
そこで、本発明は、連続鋳造設備工事において、現設備での操業稼働率を低下させることなく、短期間で新設備への更新工事を完了させることを目的とする。
【０００８】
【課題を解決するための手段】
上記問題を解決するため、本発明は、連続鋳造設備の設備更新工事における連続鋳造設備の主幹制御装置において、独立した演算処理を行う現設備用と新設備用の２つのＣＰＵ部と、外部からの信号の授受を行う入出力処理部と、前記信号を各ＣＰＵ部へ接続する、現設備用と新設備用の２パターンの選択切り替え機能を持った入出力設定部で構成される主幹制御装置を使用し、各ＣＰＵ部で現設備用及び新設備用のプログラムを演算させ、入出力設定部の現設備用と新設備用の２パターンを切替えることにより設備更新を行うようにしたものである。
【０００９】
例えば、本発明は、連続鋳造設備の主幹制御装置において、独立した演算処理を行う現設備用と新設備用の２つのＣＰＵ部と、鋳片を送るピンチロール用モータをコントロールするインバータ装置及びオペレータが作業をする独立した現設備用と新設備用の２つの操作盤との信号授受を行う入出力処理部と、その信号を各ＣＰＵ部に接続する２パターンの選択切り替え機能を持った独立した現設備用と新設備用の２つの入出力設定部と、オペレータが画面操作を行う独立した現設備用と新設備用の２つのＨＭＩとの信号授受を行う通信部と、前記通信部とＣＰＵ部を接続する相手先ＣＰＵ選択部とを有し、各ＣＰＵ部で現設備用及び新設備用のプログラムをそれぞれ演算させ、入出力設定部の現設備用と新設備用の２パターンを切替えることにより現設備稼動中にも新設備更新工事をすることができるように構成することができ、現設備での操業稼働率を低下させることなく、短期間で新設備への更新工事を完了させる作用を有する。
【００１０】
【発明の実施の形態】
以下本発明の実施例について図１を用いて説明する。図１は、本発明の連続鋳造設備の設備更新工事における主幹制御装置を示す構成図である。図１において図２と同一部材には同一符号を付している。
【００１１】
図１において、１３は主幹制御装置で、現設備用制御演算処理を行うＣＰＵ部（現設備用）１２と、新設備用制御演算処理を行うＣＰＵ部（新設備用）１８と、インバータ装置８、オペレータが作業をする操作盤（現設備用）１５、操作盤（新設備用）２１との信号授受を行う入出力処理部９と、その信号を前記各ＣＰＵ部１２、１８にそれぞれ接続する２パターンの選択切り替え機能を持った独立した現設備用入出力設定部１６、新設備用入出力設定部１７と、オペレータが画面操作を行う独立した現設備用ＨＭＩ１４、新設備用ＨＭＩ２０との信号授受を行う通信部１１と、前記通信部１１とＣＰＵ部を接続する相手先ＣＰＵ選択部１９からなる。
【００１２】
現設備用入出力設定部１６において、入力設定１には現設備用設定データ、入力設定２には新設備用設定データがインプットされている。また、現設備用ＣＰＵ部の演算結果を出力設定１あるいは出力設定２で選択された信号のみ入出力処理部９より出力する。出力設定１には現設備用設定データ、出力設定２には出力設定なしがインプットされている。現設備での操業中は、入力設定１及び出力設定１を選択し、定修での新設備動作テスト時及び新設備立上時は、入力設定２及び出力設定２を選択する。
【００１３】
新設備用入出力設定部１７において、入力設定１、入力設定２ともに新設備用設定データがインプットされている。また、新設備用ＣＰＵ部の演算結果を出力設定１あるいは出力設定２で選択された信号のみ入出力処理部９より出力する。出力設定１には新設備用の操作盤設定データ、出力設定２には新設備用の全設定データがインプットされている。現設備での操業中は、入力設定１及び出力設定１を選択し、定修での新設備動作テスト時及び新設備立上時は、入力設定２及び出力設定２を選択する。
【００１４】
相手先ＣＰＵ選択部１９は現設備用ＨＭＩ１４が現設備用ＣＰＵ部１２と、新設備用ＨＭＩ２０が新設備用ＣＰＵ１８との信号の授受を行うように動作する。従って、上記のように、現設備用操作盤１５および現設備用ＨＭＩ１４で現設備操業稼動中に、新設備用操作盤２１および新設備用ＨＭＩ２０による操作および監視の確認テストが可能となる。
【００１５】
【発明の効果】
以上述べたように、本発明によれば現設備用ＣＰＵと新設備用ＣＰＵを同時に演算処理させることができ、入出力設定のパターンを現設備用と新設備用とに速やかに切替えすることができるため、現設備での操業中に新設備の確認テスト（パラレルランテスト）が行え、短い定修期間での新設備動作確認テストにより新設備の立上が可能となる。これにより、現設備の操業稼働率の維持及び新設備の早期立上ができ、さらに、設備更新にかかる費用を抑える効果がある。
【図面の簡単な説明】
【図１】本発明の連続鋳造設備の設備更新工事における主幹制御装置を示す構成図である。
【図２】既設の連続鋳造設備の主幹制御装置を示す構成図である。
【符号の説明】
１  レードル、２  タンディッシュ、３  モールド、４  鋳片、５  ピンチロール、６  モータ、７  速度検出器、８  インバータ装置、９  入出力処理部、１０  入出力設定部、１１  通信部、１２  ＣＰＵ部（現設備用）、１３  主幹制御装置、１４  ＨＭＩ（現設備用）、１５  操作盤（現設備用）、１６  入出力設定部（現設備用）、１７  入出力設定部（新設備用）、１８  ＣＰＵ部（新設備用）、１９  相手先ＣＰＵ選択部、２０  ＨＭＩ（新設備用）、２１  操作盤（新設備用）
【図１】
2004174501.tif 000003
【図２】
2004174501.tif 000004